(57)【要約】【課題】投写部を保護するカバーを装置本体から取り外すことができる構成とした場合に、取り外されたカバーが紛失しにくくかつ邪魔になりにくい投写型表示装置を提供する。【解決手段】プロジェクタは、液晶パネル２０９、２１４、２２２によって変調された光を拡大投写するための投写レンズユニット３と、本体キャビネット１に形成され、投写レンズユニット３から出射された光が通る投写口１２１と、投写口１２１を覆うためのレンズカバー４とを備えている。ここで、本体キャビネット１には、投写口１２１を覆う際にレンズカバー４が装着される第１の装着部１ａと、第１の装着部１ａから取り外されたレンズカバー４が装着される第２の装着部１ｂとが設けられている。【選択図】図４
2011154136.tif 000002
【特許請求の範囲】
【請求項１】
投写型表示装置において、
光変調素子によって変調された光を拡大投写するための投写部と、
本体キャビネットに形成され、前記投写部から出射された光が通る投写口と、
前記投写口を覆うためのカバーと、を備え、
前記本体キャビネットには、前記投写口を覆う際に前記カバーが装着される第１の装着部と、当該第１の装着部から取り外された前記カバーが装着される第２の装着部とが設けられている、
ことを特徴とする投写型表示装置。
【請求項２】
請求項１に記載の投写型表示装置において、
前記第１の装着部と前記第２の装着部は、ともに、前記第１の装着部と前記第２の装着部の外側に前記カバーが嵌め込まれる構成とされている、
ことを特徴とする投写型表示装置。
【請求項３】
請求項１または２に記載の投写型表示装置において、
前記第２の装着部は、前記第１の装着部に隣接して設けられている、
ことを特徴とする投写型表示装置。
【請求項４】
請求項１ないし３の何れか一項に記載の投写型表示装置において、
前記カバーは、前記投写口を覆うカバー本体と、当該カバー本体の両端に設けられ、前記第１の装着部と前記第２の装着部を挟み込む一対の挟持部と、を有し、
前記第１の装着部と前記第２の装着部は、それぞれ、前記カバー本体に対向する第１面と、前記各挟持部に、それぞれ対向する第２面および第３面と、を有する、
ことを特徴とする投写型表示装置。
【請求項５】
請求項４に記載の投写型表示装置において、
前記第１の装着部と前記第２の装着部は、前記第１面と前記第２面とで構成される角部または前記第１面と前記第３面とで構成される角部の少なくとも一方が鈍角に形成されている、
ことを特徴とする投写型表示装置。
【請求項６】
請求項１ないし５の何れか一項に記載の投写型表示装置において、
前記第１の装着部と前記第２の装着部は、斜め上方を向いている、
ことを特徴とする投写型表示装置。
【発明の詳細な説明】
【技術分野】
【０００１】
本発明は、光変調素子によって変調された光を拡大投写する投写型表示装置に関する。
【背景技術】
【０００２】
従来、プロジェクタでは、液晶パネルなどの光変調素子よって変調された光が、投写レンズによって被投写面に投写される。かかるプロジェクタでは、投写レンズが汚れると、画像の品質が低下する。そこで、プロジェクタを使用しないときには、投写レンズがレンズカバーで覆われる。
【０００３】
たとえば、かかるプロジェクタにおいて、本体キャビネットに対してスライド可能に固定したレンズカバーを、投写レンズを覆う位置と投写レンズから外れる位置との間で移動させるような構成が採られ得る（たとえば、特許文献１、特許文献２参照）。
【先行技術文献】
【特許文献】
【０００４】
【特許文献１】特開２００６−２７８２３６号公報
【特許文献２】特開２００７−０４１６１７号公報
【発明の概要】
【発明が解決しようとする課題】
【０００５】
しかしながら、上記のような構成とした場合、レンズカバーを移動させる機構が付加される分、プロジェクタの構造が複雑になりやすい。
【０００６】
また、投写時にはレンズカバーは不要なため、ユーザは、プロジェクタからレンズカバーを取り外しておきたいと考える場合がある。しかし、上記構成では、そのようなユーザの要望に対応することができない。
【０００７】
これに対し、本体キャビネット側に対して着脱可能なレンズカバーを設けるような構成を採ることもできる。このような構成とすれば、プロジェクタの構成が比較的簡易になる。また、レンズカバーが不要であれば取り外しておくこともできる。
【０００８】
しかし一方で、レンズカバーを取り外すことができる構成とした場合、取り外されたレンズカバーが紛失しないようにしなければならない。これを防止する方法として、レンズカバーと本体キャビネットとを紐でつなぐ方法が、従来よく用いられている。
【０００９】
しかしながら、この構成の場合には、外されたレンズカバーが本体キャビネットの周りに置かれるため、レンズカバーが邪魔になりやすい。特に、短焦点タイプの投写レンズが用いられた場合には、投写レンズが大きくなり、その分、レンズカバーも大きくなる。このため、レンズカバーがより一層邪魔になりやすい。
【００１０】
本発明は、かかる課題を解消するためになされたものであり、投写部を保護するカバーを装置本体から取り外すことができる構成とした場合に、取り外されたカバーが紛失しにくくかつ邪魔になりにくい投写型表示装置を提供することを目的とする。
【課題を解決するための手段】
【００１１】
本発明の投写型表示装置は、光変調素子によって変調された光を拡大投写するための投写部と、本体キャビネットに形成され、前記投写部から出射された光が通る投写口と、前
記投写口を覆うためのカバーとを備えている。ここで、前記本体キャビネットには、前記投写口を覆う際に前記カバーが装着される第１の装着部と、当該第１の装着部から取り外された前記カバーが装着される第２の装着部とが設けられている。
【００１２】
本発明の投写型表示装置によれば、使用されていないカバーを本体キャビネットに装着しておくことができるので、カバーが紛失しにくい。また、カバーは、本体キャビネットの周りに置かれずに、本体キャビネットに装着されるため、カバーが邪魔になりにくい。
【００１３】
本発明の投写型表示装置において、前記第１の装着部と前記第２の装着部は、ともに、前記第１の装着部と前記第２の装着部の外側に前記カバーが嵌め込まれるような構成とされ得る。
【００１４】
このような構成とすれば、カバーが第１の装着部と同様な装着形態で第２の装着部に装着されるので、ユーザはカバーを第２の装着部へ容易に装着することができる。
【００１５】
本発明の投写型表示装置において、前記第２の装着部は、前記第１の装着部に隣接して設けられるような構成とされ得る。
【００１６】
このような構成とすれば、ユーザはカバーを第２の装着部へ容易に装着することができる。
【００１７】
本発明の投写型表示装置において、前記カバーは、前記投写口を覆うカバー本体と、当該カバー本体の両端に設けられ、前記第１の装着部と前記第２の装着部を挟み込む一対の挟持部とを有するよう構成され得る。一方、前記第１の装着部と前記第２の装着部は、それぞれ、前記カバー本体に対向する第１面と、前記各挟持部に、それぞれ対向する第２面および第３面とを有するよう構成され得る。
【００１８】
このような構成とすれば、カバーは、一対の挟持部によって第１の装着部の第２面および第３面を挟み込むようにして、第１の装着部に装着される。同様に、カバーは、一対の挟持部によって第２の装着部の第２面および第３面を挟み込むようにして、第２の装着部に装着される。
【００１９】
なお、このような構成とした場合、少なくとも１つの挟持部とそれに対応する面との間に係合構造が設けられることが望ましい。係合構造は、たとえば、凸部と凹部とにより構成され得る。また、各挟持部が、装着前よりも外側に拡がった状態でそれぞれ対応する面に当接するような構成とされることが望ましい。このようにすれば、カバーを各装着部にしっかりと装着することができる。
【００２０】
本発明の投写型表示装置において、前記第１の装着部と前記第２の装着部は、前記第１面と前記第２面とで構成される角部または前記第１面と前記第３面とで構成される角部の少なくとも一方が鈍角に形成されるよう構成され得る。
【００２１】
このような構成とすれば、レンズカバーが前記第１の装着部または前記第２の装着部へ装着される際に、挟持部が角部に当たっても、挟持部が、対応する面の外側に逃げやすい。よって、レンズカバーを、前記第１の装着部と前記第２の装着部に装着しやすくなる。
【００２２】
なお、上記角部は、丸みを帯びるように面取り加工されるのが望ましい。こうすると、レンズカバーを前記第１の装着部と前記第２の装着部に滑らかに装着することができる。
【００２３】
本発明の投写型表示装置において、前記第１の装着部と前記第２の装着部は、斜め上方
を向くように構成され得る。このような構成とすれば、第１の装着部または第２の装着部に装着されたカバーには、装着方向に重力が作用するため、カバーが各装着部から外れにくくなる。
【発明の効果】
【００２４】
以上のとおり、本発明によれば、投写部を保護するカバーを装置本体から取り外すことができる構成とした場合に、取り外されたカバーが紛失しにくくかつ邪魔になりにくい投写型表示装置を提供することができる。
【００２５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２６】
【図１】実施の形態に係るプロジェクタの外観構成を示す斜視図である。
【図２】実施の形態に係るプロジェクタの外観構成を示す平面図および底面図である。
【図３】実施の形態に係る光学エンジンおよび投写レンズユニットの構成を示す図である。
【図４】実施の形態に係るレンズカバーが第１の装着部に装着された状態およびレンズカバーが第２の装着部に装着された状態を示すプロジェクタの斜視図である。
【図５】実施の形態に係るレンズカバーの構成を示す図である。
【図６】実施の形態に係るレンズカバーが第１の装着部へ装着された状態を示す要部の縦断面図である。
【図７】実施の形態に係るレンズカバーの第１の装着部への装着方法の一例を示す図である。
【図８】実施の形態に係るレンズカバーの第１の装着部への装着方法の他の例を示す図である。
【図９】実施の形態に係るレンズカバーが第２の装着部へ装着された状態を示す要部の縦断面図である。
【発明を実施するための形態】
【００２７】
以下、図面を参照して、本発明の実施の形態について説明する。
【００２８】
図１は、プロジェクタの外観構成を示す斜視図である。図１（ａ）は、レンズカバー５が装着されていな状態のプロジェクタの斜視図であり、図１（ｂ）は、プロジェクタの前部を拡大した斜視図である。また、図２（ａ）、（ｂ）は、それぞれ、プロジェクタの外観構成を示す平面図および底面図である。
【００２９】
図１および図２を参照して、プロジェクタは、本体キャビネット１を備えている。本体キャビネット１は、下部キャビネット１１と、下部キャビネット１１に上方から被せられる上部キャビネット１２により構成されている。
【００３０】
下部キャビネット１１は、上面が開放された底の浅い箱状に形成されている。下部キャビネット１１は、その前面１１Ｆが左右の側面１１Ｌ、１１Ｒおよび後面１１Ｂよりも高くなるように形成されている。左右の側面１１Ｌ、１１Ｒは、前端部分で緩やかに高くなり、前面１１Ｆにつながっている。
【００３１】
下部キャビネット１１の前面１１Ｆには、２つの吸気口１１１、１１２が形成されている。吸気口１１１、１１２は、ともに多数のスリット状の孔によって構成されている。
【００３２】
図２（ｂ）に示すように、下部キャビネット１１の上端部には、全周に亘って鍔部１１３が形成されている。鍔部１１３は、下部キャビネット１１よりも一回り大きな上部キャビネット１２の下端部を受ける。
【００３３】
下部キャビネット１１の前面１１Ｆに形成された鍔部１１３には、後述する第１の装着部１ａに含まれる領域に２つの長孔１１４が形成されており、さらに、後述する第２の装着部１ｂに含まれる領域に２つの長孔１１５が形成されている。
【００３４】
上部キャビネット１２は下面が開放された箱状に形成されている。上部キャビネット１２の前部は、左右全体に亘って緩やかに上方に反っており、その前面１２Ｆが、わずかに斜め上方を向いている。上部キャビネット１２の前面１２Ｆは、横方向から見て、緩やかに湾曲しているとともに、下部キャビネット１１の前面１１Ｆよりも斜め上方に突出している。
【００３５】
上部キャビネット１２の前面１２Ｆには、中央よりも左側面側に寄った位置に、四角形状の投写口１２１が形成されている。投写口１２１の奥には、投写レンズユニット３の前端部分のレンズ３１１が収容される収容部１２２が形成されている。
【００３６】
上部キャビネット１２の上面１２Ｕには、インジケータ部１２３と操作部１２４が設けられている。インジケータ部１２３には、複数のＬＥＤが配されている。ユーザは、各ＬＥＤの点灯状態によって、プロジェクタが運転中であるかスタンバイ状態であるかを確認することができる。また、各種のエラー状態を確認することができる。操作部１２４には、複数の操作キーが配されている。
【００３７】
上部キャビネット１２の左側面１２Ｌには、ＡＶ端子部１２５が設けられており、各種ＡＶ端子が外部に臨んでいる。ＡＶ端子部１２５を通じて、プロジェクタにＡＶ（Audio Visual）信号が入出力される。
【００３８】
上部キャビネット１２の後面１２Ｂには、図２に示すように、吸気口１２６が設けられている。吸気口１２６は、多数のスリット状の孔によって構成されている。また、上部キャビネット１２の右側面１２Ｒには、図示しない排気口が設けられている。吸気口１２６や下部キャビネット１１の吸気口１１１、１１２から本体キャビネット１内に取り込まれた外気は、光学エンジン２等を冷却した後に排気口から排出される。
【００３９】
図２（ａ）に示すように、本体キャビネット１内には、光学エンジン２および投写レンズユニット３が配されている。
【００４０】
図３は、光学エンジン２および投写レンズユニット３の構成を示す図である。
【００４１】
光源ランプ２０１から出射された白色光は、コンデンサレンズ２０２、フライアイインテグレータ２０３、ＰＢＳアレイ２０４を通過する。フライアイインテグレータ２０３は、液晶パネル（後述する）に照射される各色光の光量分布を均一化させ、ＰＢＳアレイ２０４は、ダイクロイックミラー２０６に向かう光の偏光方向を一方向に揃える。
【００４２】
ＰＢＳアレイ２０４を通過した光は、コンデンサレンズ２０５を通過してダイクロイックミラー２０６に入射する。
【００４３】
ダイクロイックミラー２０６は、入射した光のうち、青色波長帯の光（以下、「Ｂ光」という）のみを反射し、緑色波長帯の光（以下、「Ｇ光」という）と赤色波長帯の光（以
下、「Ｒ光」という）を透過する。
【００４４】
ダイクロイックミラー２０６により反射されたＢ光は、コンデンサレンズ２０５、２０７によるレンズ作用と反射ミラー２０８による反射によって、適正な照射状態にて青色用の液晶パネル２０９に照射される。液晶パネル２０９は、青色用の映像信号に応じて駆動され、その駆動状態に応じてＢ光を変調する。なお、液晶パネル２０９の入射側には１枚の入射側偏光板２１０が配されており、入射側偏光板２１０を介して液晶パネル２０９にＢ光が照射される。また、液晶パネル２０９の出射側には２枚の出射側偏光板２１１が配されており、液晶パネル２０９から出射されたＢ光が出射側偏光板２１１に入射する。
【００４５】
ダイクロイックミラー２０６を透過したＧ光およびＲ光は、ダイクロイックミラー２１２に入射する。ダイクロイックミラー２１２は、Ｇ光を反射するとともにＲ光を透過する。
【００４６】
ダイクロイックミラー２１２により反射されたＧ光は、コンデンサレンズ２０５、２１３によるレンズ作用によって、適正な照射状態にて緑色用の液晶パネル２１４に照射される。液晶パネル２１４は、緑色用の映像信号に応じて駆動され、その駆動状態に応じてＧ光を変調する。なお、液晶パネル２１４の入射側には１枚の入射側偏光板２１５が配されており、入射側偏光板２１５を介して液晶パネル２１４にＧ光が照射される。また、液晶パネル２１４の出射側には２枚の出射側偏光板２１６が配されており、液晶パネル２１４から出射されたＧ光が出射側偏光板２１６に入射する。
【００４７】
ダイクロイックミラー２１２を透過したＲ光は、コンデンサレンズ２０５、２１７およびリレーレンズ２１８、２１９によるレンズ作用と反射ミラー２２０、２２１による反射によって、適正な照射状態にて赤色用の液晶パネル２２２に照射される。液晶パネル２２２は、赤色用の映像信号に応じて駆動され、その駆動状態に応じてＲ光を変調する。なお、液晶パネル２２２の入射側には１枚の入射側偏光板２２３が配されており、入射側偏光板２２３を介して液晶パネル２２２にＲ光が照射される。また、液晶パネル２２２の出射側には１枚の出射側偏光板２２４が配されており、液晶パネル２２２から出射されたＲ光が出射側偏光板２２４に入射する。
【００４８】
液晶パネル２０９、２１４、２２２によって変調されたＢ光、Ｇ光、Ｒ光は、出射側偏光板２１１、２１６、２２４を通過してダイクロイックプリズム２２５に入射する。ダイクロイックプリズム２２５は、Ｂ光、Ｇ光およびＲ光のうち、Ｂ光とＲ光を反射するとともにＧ光を透過し、これにより、Ｂ光、Ｇ光およびＲ光を色合成する。こうして、色合成された映像光が、ダイクロイックプリズム２２５から投写レンズユニット３に向けて出射される。
【００４９】
投写レンズユニット３は、複数のレンズを備えており、入射した映像光を拡大してスクリーンに投写する。投写レンズユニット３は、短焦点タイプのレンズであり、前端部に大きなレンズ３１１を有する。映像光は、レンズ３１１からやや斜め上方に向けて出射される。
【００５０】
また、投写レンズユニット３には、フォーカスリング３１２が設けられている。フォーカスリング３１２には、フォーカスレバー３１３が形成されている。フォーカスレバー３１３が操作されると、フォーカスリング３１２が回動し、これに伴って、投写レンズユニット３内部のフォーカスレンズ（図示せず）が移動する。こうして、フォーカスレバー３１３が操作されることにより、投写画像のフォーカスが調整される。
【００５１】
図２（ａ）に示すように、上部キャビネット１２の上面１２Ｕには、フォーカスレバー
３１３を外部に臨ませるために、横に長い開口部１２７が形成されている。
【００５２】
図１に示すように、本体キャビネット１は、全体として、前部の上下寸法が大きくされている。このため、レンズの大きな投写レンズユニット３を本体キャビネット１内に収容することができる。
【００５３】
図１（ｂ）に示すように、本体キャビネット１の前面には、レンズカバー４が装着される第１の装着部１ａが設けられている。また、第１の装着部１ａに隣接して第２の装着部１ｂが設けられている。各装着部１ａ、１ｂは、上部キャビネット１２の前面１２Ｆと、上面１２Ｕの前部と、下部キャビネット１１の前面１１Ｆに形成された鍔部１１３とによって構成されている。第１の装着部１ａが、開口部１２７の前縁部を含む点を除いて、双方の装着部１ａ、１ｂの形状は互いに等しくなっている。図２（ｂ）で説明したように、鍔部１１３には、第１の装着部１ａに相当する部位に２つの長孔１１４が形成され、第２の装着部１ａに相当する部位に２つの長孔１１５が形成されている。
【００５４】
なお、本実施の形態では、投写レンズユニット３や投写口１２１が、一つの側面（左側面）側に寄るように配されている。このため、第１の装着部１ａに隣接して第２の装着部１ｂを設けることができる。
【００５５】
図４（ａ）は、レンズカバー４が第１の装着部１ａに装着された状態を示すプロジェクタの斜視図である。また、図４（ｂ）は、レンズカバー４が第２の装着部１ｂに装着された状態を示すプロジェクタの斜視図である。
【００５６】
図４（ａ）に示すように、プロジェクタが使用されないときには、レンズカバー４が第１の装着部１ａに装着される。これにより、投写口１２１がレンズカバー４によって覆われるため、投写レンズユニット３（レンズ３１１）への塵や埃の付着が防止される。
【００５７】
一方、プロジェクタが使用される際には、第１の装着部１ａからレンズカバー４が取り外される。取り外されたレンズカバー４は、図４（ｂ）に示すように第２の装着部１ｂに装着される。
【００５８】
図５は、レンズカバー４の構成を示す図である。同図は、後方から見たレンズカバー４の斜視図である。
【００５９】
図５を参照して、レンズカバー４は、カバー本体４０１と、カバー本体４０１の上端部および下端部から、それぞれ後方に延びる上板部４０２および下板部４０３とによって構成されている。カバー本体４０１は、横方向から見て、上部キャビネットの前面１２Ｆとほぼ等しい曲率にて湾曲している。
【００６０】
上板部４０２の内面には、２つの突部４０４が形成されている。また、下板部４０３の内面には、本体キャビネット１側の長孔１１４、１１５に係合する２つの突部４０５が形成されている。
【００６１】
さらに、下板部４０３の外面には、紐取付部４０６が設けられている。紐取付部４０６には、紐を通す孔４０６ａが形成されている。ユーザは、この紐取付部４０６を利用して、レンズカバー４と本体キャビネット１とを紐によってつなぐこともできる。こうすれば、レンズカバー４がより一層紛失しにくくなる。
【００６２】
レンズカバー４は、透明な樹脂材料でできている。このため、本体キャビネット１に装着されているときにレンズカバー４が目立ちにくい。特に、第２の装着部１ａに装着され
ているときにレンズカバー４が目立ちにくいので、使用時のプロジェクタの美観を損ねにくい。
【００６３】
なお、投写レンズユニット３を保護する観点からいえば、レンズカバー４は必ずしも透明でなくてよい。レンズカバー４が透明でなければ、遮光シャッターとして機能させることもできる。
【００６４】
図６は、レンズカバー４が第１の装着部１ａへ装着された状態を示す要部の縦断面図である。
【００６５】
レンズカバー４が第１の装着部１ａに装着されると、上部キャビネット１２の上面１２Ｕと下部キャビネット１１の鍔部１１３の下面が、レンズカバー４の上板部４０２と下板部４０３とによって挟み込まれる。このとき、上板部４０２の２つの突部４０４が開口部１２７の前縁部に係合するとともに、下板部４０３の２つの突部４０５が２つの長孔１１４に係合する。また、上板部４０２および下板部４０３は、装着前の状態よりもわずかに外側に拡がった状態となる。これにより、上板部４０２および下板部４０３には、内側方向への締め付ける力が生じる。
【００６６】
こうして、レンズカバー４は、上下の突部４０４、４０５による係合と、上板部４０２および下板部４０３による締付力とによって第１の装着１ａに保持される。
【００６７】
なお、図６の円Ａで囲った部分に示すように、上部キャビネット１２の上面１２Ｕと前面１２Ｆにより構成される角部、即ち、第１の装着部１ａの上部角部は、鈍角に形成されている。さらに、上部角部の先端は丸みを帯びるように面取り加工されている。同様に、図６の円Ｂで囲った部分に示すように、下部キャビネット１１の鍔部１１３の下面と上部キャビネット１２の前面１２Ｆにより構成される角部、即ち、第１の装着部１ａの下部角部も鈍角に形成されている。さらに、下部角部の先端は丸みを帯びるように面取り加工されている。
【００６８】
図７は、レンズカバー４の第１の装着部１ａへの装着方法の一例を示す図である。
【００６９】
たとえば、図７（ａ）のように、まず、ユーザは、レンズカバー４の下板部４０３の突部４０５を鍔部１１３の長孔１１４に係合させ、この係合位置を支点にして、レンズカバー４の上側を前方へ移動させる。このとき、レンズカバー４の内側の寸法は、第１の装着部１ａの寸法よりやや小さくされているため、図７（ｂ）のように、レンズカバー４の上板部４０２が、上部キャビネット１２の前面１２Ｆの上端部分に当たる。上述のように、第１の装着部１ａの上部角部は、鈍角であり、かつ面取り加工がなされている。このため、上板部４０２は、前面１２Ｆの上端部分の傾斜や丸み形状に沿って容易に外側へ拡げられ、図７（ｃ）のように、上部角部を越える。さらに、ユーザが、レンズカバー４の上側を奥へと動かすと、上板部４０２がさらに外側へ拡げられつつ、レンズカバー４は奥へと嵌め込まれていく。そして、レンズカバー４が最後まで嵌め込まれると、図７（ｄ）のように、上板部４０２の突起４０４が開口部１２７の前縁部に係合される。
【００７０】
図８は、レンズカバー４の第１の装着部１ａへの装着方法の他の例を示す図である。
【００７１】
図７では、レンズカバー４の下側を先に第１の装着部１ａへ装着したが、図８のように、レンズカバーの上側を先に第１の装着部１ａへ装着することもできる。
【００７２】
図８（ａ）のように、まず、ユーザは、レンズカバー４の上板部４０２の突部４０４を開口部１２７の前縁部に係合させ、この係合位置を支点にして、レンズカバー４の下側を
前方へ移動させる。このとき、図８（ｂ）のように、レンズカバー４の下板部４０３が、上部キャビネット１２の前面１２Ｆの下端部分に当たる。上述のように、第１の装着部１ａの下部角部は、鈍角であり、かつ面取り加工がなされている。このため、下板部４０３は、前面１２Ｆの下端部分の傾斜や丸み形状に沿って容易に外側へ拡げられ、図８（ｃ）のように、下部角部を越える。さらに、ユーザが、レンズカバー４の下側を奥へと動かすと、下板部４０３がさらに外側へ拡げられつつ、レンズカバー４は奥へと嵌め込まれていく。そして、レンズカバー４が最後まで嵌め込まれると、図８（ｄ）のように、下板部４０３の突起４０５が鍔部１１３の長孔１１４に係合される。
【００７３】
なお、上記２つの装着方法が典型的な装着方法であると考えられるが、その他の装着方法も考えられ得る。たとえば、上記２つの装着方法よりも装着しにくくなるものの、レンズカバー４の上板部４０２と下板部４０３の双方を、上部キャビネット１２の前面１２Ｆに一度に押し当てて、これらを外側に拡げ、そのままレンズカバー４を第１の装着部１ａに嵌め込む、という方法を採ることもできる。
【００７４】
レンズカバー４を第１の装着部から取り外す場合には、たとえば、図８に示す手順と逆の手順を用いればよい。即ち、ユーザは、紐取付部４０６を指で持って下板部４０３を外側に拡げ、突部４０５と長孔１１４との係合を解除する。そして、その状態で、レンズカバー４の下側を前方へ移動させて、下板部４０３を第１の装着部１ａから取り外す。その後、ユーザは、レンズカバー４を上方に持ち上げて、上板部４０２の突部４０４と開口部１２７との係合を解除する。このようにすれば、レンズカバー４が第１の装着部１ａから取り外される。
【００７５】
図９は、レンズカバー４が第２の装着部１ｂへ装着された状態を示す要部の縦断面図である。
【００７６】
第２の装着部１ｂの形状は、第１の装着部１ａとほぼ等しいため、レンズカバー４が第２の装着部１ｂへ装着される形態も、レンズカバー４が第１の装着部１ａへの装着される形態とほぼ同じとなる。
【００７７】
図９に示すように、レンズカバー４が第２の装着部１ｂに最後まで嵌め込まれると、下板部４０３の突部４０５が２つの長孔１１５に係合する。しかし、第２の装着部１ｂ側には開口部１２７がないため、上板部４０２の突部４０４については、上部キャビネット１２の上面１２Ｕに当接した状態となる。
【００７８】
上側の突部４０４による係合がないため、第２の装着部１ｂにおけるレンズカバー４の保持力は、第１の装着部１ａにおける保持力よりも弱くなる。しかし、使用状態においては、プロジェクタが動かされる頻度は少ないと考えられるので、レンズカバー４が不意に外れてしまう虞れはない。
【００７９】
なお、第２の装着部１ｂにおいても、第１の装着部１ａと同様に、その上部角部および下部角部は、鈍角に形成されている。また、上部角部および下部角部の先端は、丸みを帯びるように面取り加工されている。
【００８０】
また、第２の装着部１ｂには開口部１２７がないため、レンズカバー４は、図７に示す装着方法にて、第２の装着部１ｂに装着されることが望ましい。
【００８１】
以上、本実施の形態によれば、使用されていないレンズカバー４を本体キャビネット１、即ち、第２の装着部１ｂに装着しておくことができるので、レンズカバー４が紛失しにくい。また、レンズカバー４は、本体キャビネット１の周りに置かれずに、本体キャビネ
ットに装着されるため、レンズカバー４が邪魔になりにくい。
【００８２】
また、本実施の形態によれば、第２装着部１ｂは、第１の装着部１ａに隣接しているので、ユーザが、レンズカバー４を第２の装着部１ｂへ容易に装着することができる。
【００８３】
さらに、本実施の形態によれば、レンズカバー４が第１の装着部１ａに装着されると、下板部４０３の突部４０５が長孔１１４に係合する。また、レンズカバー４が第２の装着部１ｂに装着されると、下板部４０３の突部４０５が長孔１１５に係合する。これにより、レンズカバー４が、各装着部１ａ、１ｂに強固に保持される。
【００８４】
また、本実施の形態によれば、レンズカバー４が各装着部１ａ、１ｂに装着された状態において、上板部４０２および下板部４０３には、内側に締め付ける力が生じる。よって、レンズカバー４が、各装着部１ａ、１ｂに、より一層強固に保持される。
【００８５】
さらに、本実施の形態によれば、各装着部１ａ、１ｂへ装着される際に、レンズカバー４の上板部４０２が、上部キャビネット１２の前面１２Ｆの上端部分に当たったり、下板部４０２が、前面１２Ｆの下端部分に当たったりしても、容易に外側へ拡がるよう構成されている。このため、レンズカバー４を、各装着部１ａ、１ｂに円滑に嵌め込むことができる。
【００８６】
また、本実施の形態によれば、各装着部１ａ、１ｂが斜め上方を向くように構成されている。即ち、上部キャビネット１２の上面１２Ｆおよび下部キャビネット１１の鍔部１１３の下面が、上部キャビネット１２の前面１２Ｆに向かって上り勾配とされている。このため、各装着部１ａ、１ｂに装着されたレンズカバー４には、装着方向に重力が作用することになる。よって、レンズカバー４が、各装着部１ａ、１ｂからが外れにくくなる。
【００８７】
さらに、本実施の形態によれば、第１の装着部１ａにおいて、レンズカバー４の突部４０４との係合に、フォーカスレバー３１３を外部に臨ませるための開口部１２７が利用されている。よって、本体キャビネット１の上面に係合のため孔などを設ける必要がなく、プロジェクタの外観が損なわれない。
【００８８】
以上、本実施の形態について説明したが、本発明は上記実施の形態に何ら制限されるものではなく、また、本発明の実施形態も、上記実施の形態に以外に、種々の変更が可能である。
【００８９】
たとえば、上記実施の形態では、上部キャビネット１２の前面１２Ｆ、即ち、第１の装着部１ａおよび第２の装着部１ｂの前面が、斜め上方を向くよう構成されている。しかしながら、これに限らず、第１の装着部１ａおよび第２の装着部１ｂの前面が、水平方向を向くような構成であってもよい。
【００９０】
また、上記実施の形態では、レンズカバー４の下板部４０３に突部４０５が設けられ、本体キャビネット１側（鍔部１１３）に長孔１１４、１１５が設けられている。しかし、これとは逆に、本体キャビネット１側（鍔部１１３）に突部が設けられ、レンズカバー４の下板部４０３に突部に係合する孔が設けられもよい。また、突部に係合するのは、孔でなく凹みでもよい。さらに、突部と孔（凹み）以外の係合構造が用いられもよい。
【００９１】
上記実施の形態では、各装着部１ａ、１ｂには、その上部角部と下部角部の双方が鈍角に形成されているが、どちらか一方の角部のみが鈍角に形成されてもよい。この場合、鈍角とされた角部にレンズカバー４が当てられる装着方法が採られ得る。第２の装着部１ｂに対しては、図７の装着方法が望ましいため、第２の装着部１ｂでは、上部角部が鈍角に
形成されることが望ましい。なお、上記実施の形態では、さらに丸みを帯びるような面取り加工がなされているが、必ずしもこのような面取り加工がなされなくてもよい。
【００９２】
この他、本発明の実施の形態は、特許請求の範囲に示された技術的思想の範囲内において、適宜、種々の変更が可能である。
【符号の説明】
【００９３】
１  本体キャビネット
１ａ  第１の装着部
１ｂ  第２の装着部
１１  下部キャビネット
１１３  鍔部（第３面）
１２  上部キャビネット
１２Ｆ  前面（第１面）
１２Ｕ  上面（第２面）
１２１  投写口
３  投写レンズユニット（投写部）
４  レンズカバー（カバー）
４０１  カバー本体
４０２  上板部（挟持部）
４０３  下板部（挟持部）
【図１】
2011154136.tif 000003
【図２】
2011154136.tif 000004
【図３】
2011154136.tif 000005
【図４】
2011154136.tif 000006
【図５】
2011154136.tif 000007
【図６】
2011154136.tif 000008
【図７】
2011154136.tif 000009
【図８】
2011154136.tif 000010
【図９】
2011154136.tif 000011